(57)【要約】【課題】香りを放出する対象となる人物に適した香りを好みの場所で放出することを可能とすることができる香り放出システムおよび香り放出方法を提供する。【解決手段】建物に設置される香り放出システムであって、前記建物に関する人物を認証する認証部と、前記人物のストレスに関する情報を検出するストレス検出部と、前記認証部により認証された前記人物と前記ストレス検出部により検出された前記情報に応じた香り放出の動作を行う香り放出部と、を備える香り放出システム。【選択図】図１
2019100605.tif 000002
【特許請求の範囲】
【請求項１】
建物に設置される香り放出システムであって、
前記建物に関する人物を認証する認証部と、
前記人物のストレスに関する情報を検出するストレス検出部と、
前記認証部により認証された前記人物と前記ストレス検出部により検出された前記情報に応じた香り放出の動作を行う香り放出部と、
を備える香り放出システム。
【請求項２】
前記ストレス検出部は、前記人物のストレスに関する情報として、前記人物の心拍変動に基づいてＬＦ／ＨＦの値を検出する、
請求項１に記載の香り放出システム。
【請求項３】
前記認証部および前記ストレス検出部は、前記建物の共用部に設置される、
請求項１または請求項２のいずれか１項に記載の香り放出システム。
【請求項４】
前記香り放出部は、香り放出の動作について、同一の人物について複数の異なる放出モードを切り替えることが可能である、
請求項１から請求項３のいずれか１項に記載の香り放出システム。
【請求項５】
前記香り放出部は、異なる人物について異なる香りを放出することが可能である、
請求項１から請求項４のいずれか１項に記載の香り放出システム。
【請求項６】
前記香り放出部は、前記人物のストレスに関する情報を含み、かつ、温度と時期とのうちの一方または両方を含む条件に応じた香りを放出する、
請求項１から請求項５のいずれか１項に記載の香り放出システム。
【請求項７】
前記香り放出部は、設定された放出開始時刻より前に前記ストレス検出部により検出された前記人物のストレスに関する情報に応じて、前記放出開始時刻になったとき以降に、香りを放出する、
請求項１から請求項６のいずれか１項に記載の香り放出システム。
【請求項８】
前記香り放出部は、特定の一人の人物に専用され、前記特定の一人の人物に応じた香り放出の動作を行う、
請求項１から請求項７のいずれか１項に記載の香り放出システム。
【請求項９】
前記香り放出部は、複数の前記人物に共用され、複数の前記人物のそれぞれに応じた香り放出の動作を行う、
請求項１から請求項７のいずれか１項に記載の香り放出システム。
【請求項１０】
建物に設置される香り放出システムが香りを放出する香り放出方法であって、
認証部が、前記建物に関する人物を認証し、
ストレス検出部が、前記人物のストレスに関する情報を検出し、
香り放出部が、前記認証部により認証された前記人物と前記ストレス検出部により検出された前記情報に応じた香り放出の動作を行う、
香り放出方法。
【発明の詳細な説明】
【技術分野】
【０００１】
本発明は、香り放出システムおよび香り放出方法に関する。
【背景技術】
【０００２】
部屋に香りを放出するシステムが知られている。
一例として、特許文献１に記載された「空気調和システム及び空気調和装置」では、座席のレイアウト情報と利用者情報に基づいて所定の香りを放出する（特許文献１参照。）。しかしながら、この技術では、ある利用者が自分の座席とは異なる他の座席を利用した場合、その利用者の情報に基づいた香りではなく、その座席に対応した本来の利用者の情報に基づいた香りが放出されてしまう。座席に対応した利用者情報の更新はデータベースの更新時のみに行われるため、この技術ではリアルタイムに変化し得る利用者情報の読み取りを行うことができなかった。
【０００３】
また、一例として、特許文献２に記載された「空調制御システム」では、在室者の体動に基づいてストレス判定を行う（特許文献２参照。）。しかしながら、この技術では、ストレス判定を行うにあたっては在室者が着座をする必要があり、在室者の能動的な動作を要し、在室者に多少の負担を強いる。また、この技術では、ストレスを検知する機能部と香りを放出する機能部とが合わさって設置されるため、在室者の好みの場所で香り放出することが困難であった。
【先行技術文献】
【特許文献】
【０００４】
【特許文献１】特開２００７−１７０７６１号公報
【特許文献２】特開２０１７−３２２０２号公報
【発明の概要】
【発明が解決しようとする課題】
【０００５】
上述のように、従来では、香りを放出する対象となる人物が自ら特定されるように座席に着座する必要があり、その座席の場所で香りが放出されるため、利便性が低い場合があった。
【０００６】
本発明は、このような事情を考慮してなされたものであり、香りを放出する対象となる人物に適した香りを好みの場所で放出することを可能とすることができる香り放出システムおよび香り放出方法を提供する。
【課題を解決するための手段】
【０００７】
本発明の一態様は、建物に設置される香り放出システムであって、前記建物に関する人物を認証する認証部と、前記人物のストレスに関する情報を検出するストレス検出部と、前記認証部により認証された前記人物と前記ストレス検出部により検出された前記情報に応じた香り放出の動作を行う香り放出部と、を備える香り放出システムである。
【０００８】
本発明の一態様は、香り放出システムにおいて、前記ストレス検出部は、前記人物のストレスに関する情報として、前記人物の心拍変動に基づいてＬＦ／ＨＦの値を検出する。
本発明の一態様は、香り放出システムにおいて、前記認証部および前記ストレス検出部は、前記建物の共用部に設置される。
本発明の一態様は、香り放出システムにおいて、前記香り放出部は、香り放出の動作について、同一の人物について複数の異なる放出モードを切り替えることが可能である。
本発明の一態様は、香り放出システムにおいて、前記香り放出部は、異なる人物について異なる香りを放出することが可能である。
本発明の一態様は、香り放出システムにおいて、前記香り放出部は、前記人物のストレスに関する情報を含み、かつ、温度と時期とのうちの一方または両方を含む条件に応じた香りを放出する。
本発明の一態様は、香り放出システムにおいて、前記香り放出部は、設定された放出開始時刻より前に前記ストレス検出部により検出された前記人物のストレスに関する情報に応じて、前記放出開始時刻になったとき以降に、香りを放出する。
本発明の一態様は、香り放出システムにおいて、前記香り放出部は、特定の一人の人物に専用され、前記特定の一人の人物に応じた香り放出の動作を行う。
本発明の一態様は、香り放出システムにおいて、前記香り放出部は、複数の前記人物に共用され、複数の前記人物のそれぞれに応じた香り放出の動作を行う。
【０００９】
本発明の一態様は、建物に設置される香り放出システムが香りを放出する香り放出方法であって、認証部が、前記建物に関する人物を認証し、ストレス検出部が、前記人物のストレスに関する情報を検出し、香り放出部が、前記認証部により認証された前記人物と前記ストレス検出部により検出された前記情報に応じた香り放出の動作を行う、香り放出方法である。
【発明の効果】
【００１０】
上記した香り放出システムおよび香り放出方法によれば、香りを放出する対象となる人物に適した香りを好みの場所で放出することを可能とすることができる。
【図面の簡単な説明】
【００１１】
【図１】本発明の一実施形態（第１実施形態）に係る香り放出システムの概略的な構成例を示す図である。
【図２】本発明の一実施形態に係る香り放出部の概略的な構成例を示す図である。
【図３】本発明の一実施形態に係る香り放出システムの配置の例を示す図である。
【図４】本発明の一実施形態に係るストレス状態決定テーブルの一例を示す図である。
【図５】本発明の一実施形態に係る香りランクテーブルの一例を示す図である。
【図６】本発明の一実施形態に係る香り選択テーブルの一例を示す図である。
【図７】本発明の一実施形態に係る人物別テーブルの一例を示す図である。
【図８】本発明の一実施形態に係る香り放出システムのストレス検出装置において行われる処理の手順の一例を示すフローチャートである。
【図９】本発明の一実施形態に係る香り放出システムの香り放出装置において行われる処理の手順の一例を示すフローチャートである。
【図１０】本発明の一実施形態に係る香り放出システムの香り放出装置において行われる処理の手順の一例を示すフローチャートである。
【図１１】本発明の一実施形態に係る香り放出システムにおいて行われる処理の概略を示す図である。
【図１２】本発明の一実施形態（第２実施形態）に係る香り放出システムの概略的な構成例を示す図である。
【発明を実施するための形態】
【００１２】
図を参照して、本発明に係る香り放出システムおよび香り放出方法の実施形態を具体的に説明する。
【００１３】
（第１実施形態）
［香り放出システムの概要］
図１は、本発明の一実施形態（第１実施形態）に係る香り放出システム１の概略的な構成例を示す図である。
本実施形態に係る香り放出システム１は、１個のストレス検出装置１１と、Ｎ（Ｎは２以上の整数）個の香り放出装置１２−１〜１２−Ｎと、Ｎ個の回線１３−１〜１３−Ｎを備える。
ストレス検出装置１１は、それぞれの回線１３−１〜１３−Ｎを介して、それぞれの香り放出装置１２−１〜１２−Ｎと通信可能に接続されている。なお、本実施形態では、それぞれの回線１３−１〜１３−Ｎは、一例として、有線の回線であるが、他の例として、無線の回線であってもよい。
【００１４】
ストレス検出装置１１は、認証部３１と、ストレス検出部３２と、通信部３３と、記憶部３４と、制御部３５を備える。
香り放出装置１２−１は、切替部５１と、操作部５２と、表示部５３と、通信部５４と、香り放出部５５と、記憶部５６と、制御部５７を備える。
【００１５】
図２は、本発明の一実施形態に係る香り放出部５５の概略的な構成例を示す図である。
香り放出部５５は、複数（本実施形態では、１０個）の香料収容部２１１−１〜２１１−１０と、香料選択部２１２と、調合部２１３と、放出部２１４を備える。
【００１６】
ここで、本実施形態では、図１および図２に示される香り放出装置１２−１に備えられる構成部については、Ｎ個の香り放出装置１２−１〜１２−Ｎにおいて同様であり、図１および図２では、１個の香り放出装置１２−１以外の香り放出装置１２−２〜１２−Ｎについては図示を省略してある。
【００１７】
［香り放出システムの配置の一例］
図３は、本発明の一実施形態に係る香り放出システム１の配置の例を示す図である。
図３には、建物１０１および香り放出システム１の構成部を示してある。
本実施形態では、一例として、香り放出システム１は、住居である建物１０１の内部に適用されている。
なお、他の例として、香り放出システム１の一部が建物１０１の外部に適用される構成が用いられてもよい。
また、本実施形態では、建物１０１は、一例として、住居であるが、他の例として、集合住宅、事務所あるいは店舗などであってもよい。
【００１８】
ここで、建物１０１の間取りは、本実施形態に係る香り放出システム１を説明するために想定した間取りであり、必ずしも住居として有用な間取りを示すものではない。また、本実施形態では、建物１０１の概略を想定して説明するが、建物１０１の詳細については想定せず説明を省略する。
本実施形態では、建物１０１に４人家族が住んでいることを想定している。これら４人は、例えば、父親、母親、息子、娘である。
建物１０１は、玄関１１１と、４個の個室１１２〜１１５と、１個のリビング１１６と、１個の洗面室１１７と、１個の浴室１１８と、１個の化粧室１１９と、１個の廊下１２０を備える。玄関１１１は、建物１０１の内部と外部とをつなぐ扉１３１を備える。
なお、個室１１２〜１１５とリビング１１６は、いずれも居室であるが、本実施形態では、説明の便宜上、別々の名称を使用して説明する。
【００１９】
個室１１２は、父親に専用の居室である。個室１１３は、母親に専用の居室である。個室１１４は、息子に専用の居室である。個室１１５は、娘に専用の居室である。
玄関１１１と、リビング１１６と、洗面室１１７と、浴室１１８と、化粧室１１９と、廊下１２０は、家族の共用部分である。
【００２０】
本実施形態では、玄関１１１に、ストレス検出装置１１が設置されている。父親の個室１１２に、父親に専用の香り放出装置１２−１が設置されている。母親の個室１１３に、母親に専用の香り放出装置１２−２が設置されている。息子の個室１１４に、息子に専用の香り放出装置１２−３が設置されている。娘の個室１１５に、娘に専用の香り放出装置１２−４が設置されている。
また、リビング１１６の異なる位置に、２個の香り放出装置１２−５、１２−６が設置されている。
また、洗面室１１７に、香り放出装置１２−７が設置されている。浴室１１８に、香り放出装置１２−８が設置されている。化粧室１１９に、香り放出装置１２−９が設置されている。
ここで、本実施形態では、香り放出装置１２−１〜１２−Ｎの数（＝Ｎ）は、９である。
【００２１】
［ストレス検出装置の概要］
ストレス検出装置１１について説明する。
認証部３１は、人物を認証する。本実施形態では、認証部３１は、建物１０１の居住者である４人家族のそれぞれ（父親、母親、息子、娘）を認証して特定する。
ここで、認証部３１は、任意の手法を用いて、人物を認証してもよい。認証部３１は、例えば、生体認証を行ってもよく、あるいは、他の認証を行ってもよい。
【００２２】
本実施形態では、認証部３１は、カメラ（画像を検出するセンサー）を備えている。当該カメラは、玄関１１１の天井あるいは壁などに設置されている。当該カメラは、例えば、玄関１１１の扉１３１を開けて外部から内部に入ってくる人物の顔を撮影（撮像）することができる配置で設けられる。
本実施形態では、認証部３１は、顔の情報に基づいて個人認証を行う。ストレス検出装置１１では、記憶部３４に、４人家族のそれぞれの顔の情報を記憶する。これらのそれぞれの人物の顔の情報は、それぞれの人物を識別する情報（識別情報）と対応付けられて、例えば、認証部３１が利用される前に設定（登録）される。当該識別情報は、例えば、番号の情報、あるいは、名称（例えば、父親、母親、息子、娘など）の情報であってもよい。
認証部３１は、記憶部３４に記憶された顔の情報に基づいて、カメラにより撮影された顔の情報に該当する人物の識別情報を特定する。
【００２３】
ここで、本実施形態では、好ましい一例として、認証部３１が非接触方式で人物を認証する構成としたが、他の例として、認証部３１が接触方式で人物を認証する構成が用いられてもよい。
非接触方式で人物を認証する手法としては、任意の手法が用いられてもよく、例えば、カメラ以外に、赤外線を検出するセンサーなどを使用する手法が用いられてもよい。
接触方式で人物を認証する手法としては、任意の手法が用いられてもよく、例えば、指紋を検出してそれぞれの人物の指紋テンプレートと照合するセンサーなどが用いられてもよい。
【００２４】
ストレス検出部３２は、人物のストレスに関する情報を検出する。ストレス検出部３２は、任意の手法を用いて、人物のストレスに関する情報を検出してもよい。また、ストレス検出部３２が人物のストレスに関する情報を検出するためのセンサーとしては、例えば、認証部３１が人物を認証するためのセンサーと、共通であってもよく、あるいは、別であってもよい。
【００２５】
本実施形態では、ストレス検出部３２は、対象者となる人物の皮膚表面の画像を撮影するカメラを備え、当該カメラにより撮影された画像に基づいて、当該人物のストレスに関する情報を検出する。
詳しくは、ストレス検出部３２は、カメラにより撮影された人物の皮膚表面の画像に基づいて、ストレスの状態を表す心拍変動を検出する（読み取る）。ストレス検出部３２は、検出された心拍変動に基づいて、交感神経系成分（ＬＦ）および副交感神経系成分（ＨＦ）を検出する（読み取る）。ストレス検出部３２は、ＬＦとＨＦとの比（バランス）を検出し、検出された比に基づいて、人物のストレスの状態を判定する。
【００２６】
一例として、ＬＦとＨＦとの比であるＬＦ／ＨＦの値について、ＬＦ／ＨＦの値が２．０未満である場合には「ストレス無し」の状態であると設定され、ＬＦ／ＨＦの値が２．０以上５．０未満である場合には「ストレスあり」の状態であると設定され、ＬＦ／ＨＦの値が５．０以上である場合には「ストレス強め」の状態であると設定されてもよい。ここで、ストレスの大小関係として、「ストレスあり」の状態よりも「ストレス強め」の状態の方が、ストレスが強い状態を表している。
なお、ＬＦおよびＨＦを検出する手法としては、例えば、公知の技術が利用されてもよい。また、それぞれの人物ごとに、ストレスの状態を判定するためのＬＦ／ＨＦに関する閾値は、任意の値に設定されてもよい。
【００２７】
ここで、本実施形態では、好ましい一例として、ストレス検出部３２が非接触方式で人物のストレスに関する情報を検出する構成としたが、他の例として、認証部３１が接触方式で人物のストレスに関する情報を検出する構成が用いられてもよい。
非接触方式で人物のストレスに関する情報を検出する手法としては、任意の手法が用いられてもよく、例えば、カメラ以外に、音声を検出するセンサー、あるいは呼吸を検出するセンサーなどを使用する手法が用いられてもよい。
接触方式で人物を認証する手法としては、任意の手法が用いられてもよく、例えば、指先と接触して心拍あるいは脈拍を検出するセンサーなどが用いられてもよい。
【００２８】
本実施形態では、認証部３１のカメラと、ストレス検出部３２のカメラとして、共通のカメラが用いられているが、別々のカメラが用いられてもよい。
【００２９】
図４は、本発明の一実施形態に係るストレス状態決定テーブル１０１１の一例を示す図である。
本実施形態では、ストレス状態決定テーブル１０１１は、記憶部３４に記憶されている。そして、ストレス検出部３２は、記憶部３４に記憶されたストレス状態決定テーブル１０１１を参照する。
【００３０】
ストレス状態決定テーブル１０１１は、「ストレス状態」と「ＬＦ／ＨＦの条件」との対応を格納する。
図４の例では、２個の閾値であるＡ１およびＡ２が正の値であり、Ａ１＞Ａ２であるとしている。そして、「ストレス強め」の状態と、「ＬＦ／ＨＦ≧Ａ１」の条件とが対応付けられている。また、「ストレスあり」の状態と、「Ａ１＞ＬＦ／ＨＦ≧Ａ２」の条件とが対応付けられている。また、「ストレス無し」の状態と、「Ａ２＞ＬＦ／ＨＦ」の条件とが対応付けられている。
本実施形態では、例えば、Ａ１＝５．０であり、Ａ２＝２．０である。
ストレス検出部３２は、ストレス状態決定テーブル１０１１を参照し、検出されたＬＦ／ＨＦの値が満たす条件（「ＬＦ／ＨＦの条件」）を特定し、特定された条件に対応するストレスの状態（「ストレス状態」）を特定（検出）する。
【００３１】
なお、ストレスの状態を判定する基準（本例では、２個の閾値であるＡ１およびＡ２の値）としては、一例として、すべての人物（本実施形態では、父親、母親、息子、娘）について共通の値が用いられてもよく、他の例として、それぞれの人物ごとに設定される値を異ならせることが可能であってもよい。当該基準がそれぞれの人物ごとに異なり得る場合には、例えば、それぞれの人物の識別情報と、当該人物に合った基準（例えば、ストレス状態決定テーブル１０１１の内容）との対応関係が、記憶部３４に設定されて、ストレス検出部３２により参照されて使用される。
【００３２】
通信部３３は、外部の装置との間で通信を行う。本実施形態では、通信部３３は、それぞれの回線１３−１〜１３−Ｎを介して、それぞれの香り放出装置１２−１〜１２−Ｎとの間で通信を行う。
記憶部３４は、各種の情報を記憶する。
制御部３５は、ストレス検出装置１１における各種の制御あるいは処理を実行する。制御部３５は、例えば、ＣＰＵ（Ｃｅｎｔｒａｌ  Ｐｒｏｃｅｓｓｉｎｇ  Ｕｎｉｔ）などを用いて構成され、記憶部３４に記憶されたプログラムを読み出して実行することで、各種の制御あるいは処理を実行する。
【００３３】
本実施形態では、制御部３５は、認証部３１により認証されて特定された人物の識別情報と、当該人物についてストレス検出部３２により検出されたストレスに関する情報を、通信部３３により、複数の香り放出装置１２−１〜１２−Ｎに送信する。ストレスに関する情報は、ストレスの状態（「ストレス無し」の状態、「ストレスあり」の状態、「ストレス強め」の状態）を特定する情報である。
そして、本実施形態では、それぞれの香り放出装置１２−１〜１２−Ｎが、ストレス検出装置１１から受信された情報のうち、自装置（それぞれの香り放出装置１２−１〜１２−Ｎ）に対応した人物に関する情報を選択して使用する。
【００３４】
他の例として、制御部３５は、認証部３１により認証されて特定された人物の識別情報に対応する香り放出装置（複数の香り放出装置１２−１〜１２−Ｎのうちで該当する香り放出装置）に、当該人物についてストレス検出部３２により検出されたストレスに関する情報を、通信部３３により、送信してもよい。この場合、記憶部３４は、認証部３１により認証されるそれぞれの人物の識別情報と、香り放出装置１２−１〜１２−Ｎとの対応関係を記憶する。当該対応関係は、例えば、ストレス検出装置１１が使用される前に、設定（登録）される。この場合、制御部３５は、当該対応関係に基づいて、ストレスに関する情報を送信する相手とする香り放出装置を選択して決定する。
【００３５】
ここで、本実施形態では、一例として、認証部３１が認証に関する演算を行う構成としたが、他の例として、認証部３１はカメラであるとして、制御部３５が当該カメラにより撮影された画像の情報に基づいて認証に関する演算（例えば、人物を特定するための演算）を行ってもよい。
また、本実施形態では、一例として、ストレス検出部３２がストレス検出に関する演算を行う構成としたが、他の例として、ストレス検出部３２はカメラ（本実施形態では、認証部３１と共通のカメラ）であるとして、制御部３５が当該カメラにより撮影された画像の情報に基づいてストレス検出に関する演算（例えば、ストレスの状態を判定するための演算）を行ってもよい。
【００３６】
ここで、本実施形態に係る香り放出システム１では、好ましい一例として、建物１０１におけるすべての人物に共通に、１個のストレス検出装置１１を備える。また、ストレス検出装置１１は、建物１０１におけるすべての人物が通過すると考えられる共用部である玄関１１１の内側（一例として、玄関１１１の扉１３１の付近）に設置されている。
なお、ストレス検出装置１１は、例えば、他の共用部である廊下１２０などに設置されてもよく、あるいは、共用部以外の場所に設置されてもよい。また、ストレス検出装置１１は、例えば、玄関１１１の外側（一例として、玄関１１１の扉１３１の付近）に設置されてもよい。
また、例えば、複数のストレス検出装置１１が備えられてもよい。この場合、例えば、これら複数のストレス検出装置１１による検出結果の情報が、それぞれの香り放出装置１２−１〜１２−Ｎに送信される。
【００３７】
［香り放出装置の概要］
香り放出装置１２−１について説明する。
切替部５１は、自動放出モードのオンとオフとを切り替えるための部位である。当該部位は、例えば、キー、あるいは、スイッチなどである。切替部５１は、人（ユーザ）により手動で切り替えられる。
【００３８】
ここで、本実施形態では、自動放出モードは、自動的に香りの放出を行うモードである。香り放出装置１２−１では、切替部５１により、自動放出モードがオンである状態と、自動放出モードがオフである状態と、を切り替えることが可能になっている。
自動放出モードがオンである状態では、ストレス検出装置１１から受信された情報に基づいて、自動的に、香りの放出を行う。
自動放出モードがオフである状態では、ユーザにより手動で設定された情報にしたがって、香りの放出を行う。
【００３９】
操作部５２は、ユーザにより行われる操作の内容を受け付ける。操作部５２は、例えば、ユーザにより操作することが可能なキーあるいはマウスなどを備える。
表示部５３は、ユーザに対して情報を表示する。表示部５３は、例えば、情報を表示する画面を有するディスプレイを備える。
ここで、例えば、操作部５２と表示部５３とは、一体化されてもよく、あるいは、別々に備えられてもよい。操作部５２と表示部５３とが一体化される場合、操作部５２は、例えば、タッチパネルを用いて構成されてもよい。
【００４０】
また、本実施形態では、自動放出モードのオンとオフを切り替える切替部５１が操作部５２とは別に備えられることで、ユーザにとって、自動放出モードのオンとオフとの切り替えを容易にしている。
他の例として、切替部５１は、操作部５２と共通化されてもよい。つまり、操作部５２は、切替部５１の機能を含んでもよい。
本実施形態では、切替部５１および操作部５２は入力インターフェイスであり、表示部５３は出力インターフェイスである。
【００４１】
また、例えば、スマートホンなどの携帯型の端末装置によって香り放出装置１２−１との間で無線により通信を行うことで、当該端末装置によって操作部５２を操作することが可能な構成とされてもよい。この場合、ユーザは、当該端末装置を操作することで、遠隔から、操作部５２の操作を行うことができる。
また、例えば、スマートホンなどの携帯型の端末装置によって香り放出装置１２−１との間で無線により通信を行うことで、当該端末装置によって表示部５３により表示される情報を受信して、当該端末装置の画面に当該情報を表示することが可能な構成とされてもよい。この場合、ユーザは、当該端末装置の画面により、遠隔において、表示部５３の表示情報を見ることができる。
【００４２】
通信部５４は、外部の装置との間で通信を行う。本実施形態では、通信部５４は、回線１３−１を介して、ストレス検出装置１１との間で通信を行う。
香り放出部５５は、香りを放出する処理を行う。
香り放出部５５は、自動放出モードがオンである状態では、ストレス検出装置１１から通信部５４により受信された情報に基づいて、自動的に、香りの放出を行う。
香り放出部５５は、自動放出モードがオフである状態では、ユーザにより手動で設定された情報にしたがって、香りの放出を行う。
【００４３】
ここで、香り放出部５５は、放出する香りを判定（決定）するために、各種の情報を参照してもよい。
例えば、香り放出部５５は、人物のストレス状態を特定する情報に基づいて、放出する香りを判定する。
また、例えば、香り放出部５５は、時期の情報に基づいて、放出する香りを判定することが可能である。当該時期の情報としては、一例として、季節の情報が用いられるが、他の例として、月（１月から１２月）などの情報が用いられてもよい。この場合、香り放出部５５は、例えばカレンダーの機能など、時期を検出する機能を有する。当該機能は、例えば、香り放出装置１２−１に内蔵されてもよく、あるいは、香り放出装置１２−１の外側の機能を用いて構成されてもよい。
また、例えば、香り放出部５５は、温度の情報に基づいて、放出する香りを判定することが可能である。当該温度の情報としては、一例として、香り放出装置１２−１が設置される個室１１２の温度（室温）の情報が用いられるが、他の温度の情報が用いられてもよい。この場合、香り放出部５５は、例えば温度計（温度センサー）の機能など、温度を検出する機能を有する。当該機能は、例えば、香り放出装置１２−１に内蔵されてもよく、あるいは、香り放出装置１２−１の外側の機能を用いて構成されてもよい。
【００４４】
また、香り放出部５５は、香りを放出するタイミングを判定（決定）するために、各種の情報を参照してもよい。
例えば、香り放出部５５は、時刻の情報に基づいて、香りを放出するタイミングを判定する。この場合、香り放出部５５は、例えば時計の機能など、時刻を検出する機能を有する。当該機能は、例えば、香り放出装置１２−１に内蔵されてもよく、あるいは、香り放出装置１２−１の外側の機能を用いて構成されてもよい。
ここで、香りの放出に関するタイミングとしては、例えば、香りの放出の開始のタイミング、香りの放出の終了のタイミングなどがある。
【００４５】
記憶部５６は、各種の情報を記憶する。
制御部５７は、香り放出装置１２−１における各種の制御あるいは処理を実行する。制御部５７は、例えば、ＣＰＵなどを用いて構成され、記憶部５６に記憶されたプログラムを読み出して実行することで、各種の制御あるいは処理を実行する。
【００４６】
ここで、本実施形態では、一例として、香り放出部５５が香りの放出に関する演算を行う構成としたが、他の例として、香り放出部５５は香りを放出する機構であるとして、制御部５７が当該機構により香りを放出させるための演算（例えば、香り放出の態様を決定する演算）を行ってもよい。
【００４７】
本実施形態では、記憶部５６は、香り放出装置１２−１に対応付けられた人物の識別情報を記憶する。当該識別情報は、例えば、香り放出装置１２−１が使用される前に、設定（登録）される。そして、制御部５７は、ストレス検出装置１１から送信されて通信部５４により受信された情報のうち、記憶部５６に記憶された人物の識別情報に対応する情報（当該人物に関する情報）を選択して、選択された情報に基づいて香り放出部５５により香り放出が行われるように制御する。
【００４８】
他の例として、香り放出装置１２−１に対応付けられた人物の識別情報がストレス検出装置１１に設定されていて、ストレス検出装置１１が当該人物に関する情報を選択して香り放出装置１２−１に送信する場合には、制御部５７は、ストレス検出装置１１から送信されて通信部５４により受信された情報に基づいて香り放出部５５により香り放出が行われるように制御する。
【００４９】
香り放出部５５の一例を説明する。
それぞれの香料収容部２１１−１〜２１１−１０は、香料を収容する。本実施形態では、それぞれの香料収容部２１１−１〜２１１−１０によりそれぞれ異なる種類の香料を収容することで、最大で１０種類の香料を収容することが可能である。なお、それぞれの香料収容部２１１−１〜２１１−１０には、例えば、ユーザの手動により、香料が収容させられる。
【００５０】
香料選択部２１２は、１０個の香料収容部２１１−１〜２１１−１０のうちから１個以上の香料収容部を選択することで、選択された香料収容部に収容された香料が放出されるようにする。
ここで、香料選択部２１２は、それぞれの香料収容部２１１−１〜２１１−１０に収容される香料の種類を特定する情報を記憶している。当該情報は、例えば、記憶部５６に記憶されてもよい。
【００５１】
一例として、それぞれの香料収容部２１１−１〜２１１−１０に収容される香料の種類が一定に定められている場合には、あらかじめ、それぞれの香料収容部２１１−１〜２１１−１０に収容される香料の種類を特定する情報が設定される。この場合、ユーザは、それぞれの香料収容部２１１−１〜２１１−１０に、定められた種類の香料を設定する。
【００５２】
他の例として、それぞれの香料収容部２１１−１〜２１１−１０に収容される香料の種類が変動し得る場合には、ユーザの手動により、あるいは、自動的に香料の種類が識別されることで、それぞれの香料収容部２１１−１〜２１１−１０に収容される香料の種類を特定する情報が設定される。自動的に香料の種類を識別する手法としては、例えば、香料の容器に当該香料の種類を識別する情報が付されており、香料選択部２１２が、それぞれの香料収容部２１１−１〜２１１−１０に収容される香料の容器に付された識別情報を検出することで、当該香料の種類を識別する手法が用いられてもよい。
【００５３】
調合部２１３は、香料選択部２１２により選択された２個以上の香料収容部（香料収容部２１１−１〜２１１−１０のうちの２個以上）に収容された香料を調合する。ここで、香料選択部２１２により１個の香料収容部（つまり、１種類の香料）が選択された場合には、調合部２１３は香料の調合を行わない。
なお、２種類以上の異なる香料を調合することが行われない構成では、調合部２１３は備えられなくてもよい。
【００５４】
放出部２１４は、２種類以上の異なる香料が選択された場合には、一例として、これらの香料が調合部２１３により調合されたものを放出する。なお、他の例として、放出部２１４は、２種類以上の異なる香料が選択された場合に、これらの香料のそれぞれを単独で（つまり、調合されない状態で）放出してもよい。
また、放出部２１４は、１種類の香料が選択された場合には、当該香料を放出する。
【００５５】
ここで、複数の香料収容部２１１−１〜２１１−１０の数としては、任意の数であってもよい。
なお、香り放出部５５が１個の香料収容部を備える構成が用いられてもよい。この場合、例えば、香料選択部２１２および調合部２１３は備えられなくてもよい。
【００５６】
他の香り放出装置１２−２〜１２−Ｎでは、香り放出装置１２−１に対して、設定される情報が異なり得る。そして、複数の香り放出装置１２−１〜１２−Ｎは、それぞれに設定された情報に応じて動作を行うため、それぞれの動作は異なり得る。
【００５７】
［専用の香り放出装置において設定される情報の例］
本実施形態では、それぞれの個室１１２〜１１５に設置された香り放出装置１２−１〜１２−４、およびリビング１１６に設置された香り放出装置１２−５〜１２−６は、それぞれ、一人の人物に対応付けられている。この場合、それぞれの香り放出装置１２−１〜１２−６を操作などするユーザは、例えば、それぞれの香り放出装置１２−１〜１２−６に対応する人物、あるいは、代理の者などとなる。
【００５８】
父親の個室１１２に設置された香り放出装置１２−１を例として説明する。
香り放出装置１２−１は、父親の専用の装置として使用される。
香り放出装置１２−１では、ユーザ（ここでは、例えば、父親あるいは代理の者）が切替部５１および操作部５２を操作することで、各種の設定内容について、初期設定、変更あるいは削除を行う。当該設定内容は、例えば、記憶部５６に記憶される。このような情報の設定は、任意のタイミングで行われてもよい。
【００５９】
＜人物の識別情報＞
香り放出装置１２−１の記憶部５６には、当該香り放出装置１２−１を使用する者を識別する情報として、父親（人物）の識別情報が設定される。当該識別情報は、ストレス検出装置１１に設定される人物の識別情報と対応付けられる。これにより、ストレス検出装置１１によりストレス状態が検出された人物に対応付けられた香り放出装置（香り放出装置１２−１〜１２−Ｎのうちの該当する香り放出装置）によって当該人物に適合した香りを放出することが、行われる。なお、一例として、それぞれの人物の識別情報として、ストレス検出装置１１と香り放出装置１２−１とで共通の識別情報が使用されてもよい。
【００６０】
＜香りランクテーブル＞
図５は、本発明の一実施形態に係る香りランクテーブル１０２１の一例を示す図である。
香り放出装置１２−１の記憶部５６には、当該香り放出装置１２−１を使用する父親（人物）の嗜好（好み）に合った香りランクテーブル１０２１が記憶される。
香りランクテーブル１０２１は、「順位」と「香りの種類」とを対応付けて格納する。
図５の例では、「１位」の順位と「ラベンダー」という香り（香料）の種類とが対応付けられており、「２位」の順位と「オレンジスイート」という香り（香料）の種類とが対応付けられており、「３位」の順位と「ベルガモット」という香り（香料）の種類とが対応付けられており、以降も同様に、「１０位」の順位まで、順位と香り（香料）の種類とが対応付けられている。
本実施形態では、香り放出部５５に備えられた香料収容部２１１−１〜２１１−１０の数（つまり、香料の種類の数）と、香りランクテーブル１０２１に設定される香り（香料）の種類の数とが、同じ数となっている。なお、これらの数は、異なっていてもよい。
【００６１】
＜香り選択テーブル＞
図６は、本発明の一実施形態に係る香り選択テーブル１０３１の一例を示す図である。
香り放出装置１２−１の記憶部５６には、香り選択テーブル１０３１が記憶される。本実施形態では、香り選択テーブル１０３１の内容は、すべての人物について共通であるが、例えば、それぞれの人物ごとに、それぞれの人物の嗜好に合った内容を設定することが可能であってもよい。
香り選択テーブル１０３１は、「季節」の種類と、「室温」の種類と、「ストレス状態」の種類と、香りの種類とを対応付けて格納する。
【００６２】
図６の例では、「季節」の種類として、春、夏、秋、冬が用いられている。
また、「室温」の種類として、低い、高い、普通が用いられている。
また、「ストレス状態」の種類として、「ストレス強め」の状態、「ストレスあり」の状態が用いられている。
ここで、季節の種類は、例えば、月日を用いて定義される。本実施形態では、香り放出部５５は、カレンダー機能により、「夏」、「冬」、「春・秋（春あるいは秋）」といった３種類のうちの一つを判定する。
また、室温の種類は、例えば、季節および温度を用いて定義される。本実施形態では、季節が夏である場合には、温度が３０度以上である状態が「高い」状態と定義されており、温度が２８度以上３０度未満である状態が「普通」状態と定義されており、温度が２８度未満である状態が「低い」状態と定義されている。また、季節が冬である場合には、温度が１８度以上である状態が「高い」状態と定義されており、温度が１０度以上１８度未満である状態が「普通」状態と定義されており、温度が１０度未満である状態が「低い」状態と定義されている。
【００６３】
本実施形態では、香り放出部５５は、記憶部５６に記憶された香りランクテーブル１０２１の内容および香り選択テーブル１０３１の内容と、判定（検出）された季節の種類と、判定（検出）された室温の種類と、ストレス検出装置１１から通知されたストレス状態の種類に基づいて、放出する香りの種類を判定して特定する。ここで、このような判定の処理（特定の処理）は、例えば、香料選択部２１２により行われてもよい。
【００６４】
図６の例では、「季節」が冬であり、「室温」が低い場合であり、「ストレス強め」であるときには、「１、２、３のうちの１つ」の香りを放出することが設定されている。ここで、「１、２、３のうちの１つ」は、香りランクテーブル１０２１のランキングにおいてランクが１位、２位、３位の候補のうちの１つの香りを放出することを表す。
一例として、このような香り選択テーブル１０３１が用いられる場合、香り放出部５５は、ランクが１位、２位、３位のうちの１つの香りをランダムに選択してもよく、あるいは、ランクが１位、２位、３位のうちの１つの香りを毎回順番に切り替えて選択してもよく、あるいは、他の手法により１つの香りを選択してもよい。
他の例として、「１、２、３のうちの１つ」という情報の代わりに、ランクが１位、２位、３位のうちの特定の１つの香りを選択するための情報が、あらかじめ、あるいは、ユーザの操作などにより、香り選択テーブル１０３１に設定されてもよい。
【００６５】
同様に、図６の例では、「季節」が夏であり、「室温」が高い場合であり、「ストレス強め」であるときには、「１、２、３のうちの１つ」の香りを放出することが設定されている。
【００６６】
また、図６の例では、「季節」が冬であり、「室温」が普通である場合であり、「ストレス強め」であるとき、および、「季節」が夏であり、「室温」が普通である場合であり、「ストレス強め」であるときには、「４、５、６のうちの１つ」の香りを放出することが設定されている。ここで、「４、５、６のうちの１つ」については、「１、２、３のうちの１つ」について説明したのと同様である。
【００６７】
また、図６の例では、「季節」が冬であり、「室温」が低い場合または普通である場合であり、「ストレスあり」であるとき、および、「季節」が夏であり、「室温」が高い場合または普通である場合であり、「ストレスあり」であるときには、「７、８、９、１０のうちの１つ」の香りを放出することが設定されている。ここで、「７、８、９、１０のうちの１つ」については、「１、２、３のうちの１つ」について説明したのと同様である。
【００６８】
また、図６に示される香り選択テーブル１０３１の他の欄についても、上記で説明したのと同様である。
なお、図６の例では、「季節」が春である場合または秋である場合については、室温とは無関係に、室温が高い場合、低い場合あるいは普通である場合のすべてにおいて、放出する香りの選択内容が同じになっている。
ここで、図６の例では、香り放出部５５が１種類の香りを放出する場合を示したが、例えば、２種類以上の香りを調合して放出する場合が定義されてもよい。
【００６９】
具体例として、香り放出装置１２−１を使用する人物（父親）について、安眠効果を得るための設定が行われてもよい。この場合、香りランクテーブル１０２１には、１０種類の香りが、安眠効果が高い方から低い方への順番（序列）で、１位から１０位まで並べられるように設定される。香り選択テーブル１０３１の内容としては、例えば、既定の値（デフォルトの値）が用いられてもよく、あるいは、ユーザにより書き換えられてもよい。図６の例では、安眠の妨げになる季節と室温との組み合わせの場合（例えば、冬で室温が低い場合、および、夏で室温が高い場合）において、安眠効果が高い１個の香り（あるいは、安眠効果が高い２個以上の香りの候補）が選択されるように設定される。このように、安眠の妨げになり得る要素の影響力が大きいほど、高いランクの香りが選択されるように設定されることが好ましい一例である。
【００７０】
ここで、図６の例では、ストレス状態と温度（本実施形態では、室温）と時期（本実施形態では、季節）との３つの組み合わせと、香り放出部５５により放出すべき香りとが対応付けられる場合を示したが、他の対応付けに基づいて放出すべき香りが決定されてもよい。
例えば、ストレス状態と温度といった２つの組み合わせと、香り放出部５５により放出すべき香りとが対応付けられて、このような対応付けに基づいて放出すべき香りが決定されてもよい。
また、例えば、ストレス状態と時期といった２つの組み合わせと、香り放出部５５により放出すべき香りとが対応付けられて、このような対応付けに基づいて放出すべき香りが決定されてもよい。
【００７１】
＜放出開始時刻および放出停止時刻＞
香り放出装置１２−１の記憶部５６には、当該香り放出装置１２−１を使用する父親（人物）の嗜好に合った放出開始時刻および放出停止時刻が設定される。
放出開始時刻は、香り放出部５５により香りを放出する動作を開始する時刻である。また、放出停止時刻は、香り放出部５５により香りを放出する動作を停止する時刻である。つまり、放出開始時刻から放出停止時刻までの間に香りの放出動作が開始される場合あるいは停止される場合を除くと、通常は、放出開始時刻から放出停止時刻までの間、香り放出部５５により香りを放出する動作が行われる。
【００７２】
具体例として、香り放出装置１２−１を使用する人物（父親）について、安眠効果を得るための設定が行われる場合、例えば、当該人物が就寝する予定の時刻（例えば、２３時など）が放出開始時刻に設定され、当該人物が起床する予定の時刻（例えば、６時など）が放出停止時刻に設定される。一例として、父親が１８時に自宅（建物１０１）に帰宅したときに「ストレスあり」の状態あるいは「ストレス強め」の状態であった場合に、父親が個室１１２で就寝する２３時に香り放出装置１２−１により安眠効果がある香りが放出され、これにより、父親は就寝時に安眠効果を得ることができる。
【００７３】
なお、放出開始時刻としては、例えば、ストレス検出装置１１から香り放出装置１２−１に該当する人物のストレス状態の情報が通知された時刻に対して、所定の時間だけ後の時刻が設定されてもよい。
また、放出停止時刻としては、例えば、このように設定値が変化し得る放出開始時刻に対して、所定の時間だけ後の時刻が設定されてもよい。
【００７４】
＜放出モード＞
香り放出装置１２−１の記憶部５６には、当該香り放出装置１２−１を使用する父親（人物）の嗜好に合った放出モードが設定される。放出モードは、香りを放出する動作の態様を規定する。
ここで、放出モードとしては、香りの放出動作に関する任意のモードが用いられてもよい。
例えば、複数の異なる放出モードのうちの任意の１つの放出モードがユーザの手動により設定される。
【００７５】
本実施形態では、一つの放出モード（説明の便宜上、「放出モードＨ１」という。）として、放出開始時刻になったときに香りを一回だけ放出するモードがある。この放出モードＨ１が設定されている場合、香り放出部５５は、放出開始時刻になったときから所定の時間または所定の分量（香料の分量）だけ、香りを放出し続ける。なお、放出モードＨ１では、放出停止時刻は使用されず、設定されなくてもよい。
また、一つの放出モード（説明の便宜上、「放出モードＨ２」という。）として、放出開始時刻と放出停止時刻との間に継続的に香りを放出するモードがある。この放出モードＨ２が設定されている場合、香り放出部５５は、放出開始時刻になったときから放出停止時刻になるまでの間、香りを放出し続ける。
また、一つの放出モード（説明の便宜上、「放出モードＨ３」という。）として、放出開始時刻と放出停止時刻との間に断続的に香りを放出するモードがある。この放出モードＨ３が設定されている場合、香り放出部５５は、放出開始時刻になったときから放出停止時刻になるまでの間、香りを断続的に放出する。香りを断続的に放出する態様としては、例えば、所定の時間（例えば、１５分など）ごとに、当該所定の時間よりも短い時間（例えば、５分など）または所定の分量だけ香りを放出するという処理を繰り返す態様が用いられる。
【００７６】
ここで、香り放出装置１２−１では、例えば、自動的に、ストレスの大小を表す情報に基づいて、放出モードを切り替える構成とされてもよい。
この場合、香り放出装置１２−１の記憶部５６には、ストレスの大小を表す情報（本実施形態では、ＬＦ／ＨＦの値）と、放出モードとの対応関係が設定される。一例として、ストレスが大きい場合に、ストレスが小さい場合と比べて、長時間（あるいは、多量）の香りを放出する放出モードが使用されるように設定される。
【００７７】
＜他の設定情報＞
香りの放出に関して、他の任意の情報が設定されてもよい。
例えば、香り放出装置１２−１の記憶部５６に、当該香り放出装置１２−１を使用する父親（人物）の嗜好に合った香料の蒸散量（放出の量）が設定されてもよい。この場合、香り放出部５５は、設定された蒸散量で、香りを放出する。ここで、香料の蒸散量としては、例えば、単位時間あたりに蒸散させる香料の量である。
また、香料の蒸散量は、例えば、香り放出装置１２−１が設置される場所（例えば、部屋）の広さに応じて変更されてもよい。一例として、香り放出装置１２−１が設置される場所が広い場合に、香り放出装置１２−１が設置される場所が狭い場合と比べて、多量の香りを放出するように設定される。
【００７８】
ここでは、父親の個室１１２に設置された香り放出装置１２−１を例として説明したが、他の専用の香り放出装置１２−２〜１２−６についても同様である。
例えば、母親の個室１１３に設置された香り放出装置１２−２では、母親の嗜好に合った情報が設定される。息子の個室１１４に設置された香り放出装置１２−３では、息子の嗜好に合った情報が設定される。娘の個室１１５に設置された香り放出装置１２−４では、娘の嗜好に合った情報が設定される。
【００７９】
また、本実施形態では、リビング１１６に設置された２個の香り放出装置１２−５、１２−６は、それぞれ、特定の人物に専用で使用される設定としてある。例えば、香り放出装置１２−５の付近に父親がいることが多い場合に、当該香り放出装置１２−５に父親の嗜好に合った情報が設定される。また、例えば、香り放出装置１２−５の付近に母親がいることが多い場合に、当該香り放出装置１２−５に母親の嗜好に合った情報が設定される。
ここで、リビング１１６に設置された２個の香り放出装置１２−５、１２−６では、放出開始時刻および放出停止時刻として、例えば、該当する人物がリビング１１６にいる予定の時間帯に基づく時刻が用いられる。
【００８０】
［共用の香り放出装置において設定される情報の例］
本実施形態では、共用される場所（洗面室１１７、浴室１１８、化粧室１１９）に設置された香り放出装置１２−７〜１２−９には、それぞれ、複数の人物に対応することが可能な情報が設定されている。この場合、それぞれの香り放出装置１２−７〜１２−９を操作などするユーザは、例えば、それぞれの香り放出装置１２−７〜１２−９に対応する複数の人物、あるいは、代表の者などとなる。
【００８１】
洗面室１１７に設置された香り放出装置１２−７を例として説明する。他の香り放出装置１２−８、１２−９についても同様である。
なお、以下では、説明の便宜上から、香り放出装置１２−１について図１および図２に示される構成部と同じ符号（図における符号）を用いて、香り放出装置１２−７について説明する。
【００８２】
香り放出装置１２−７では、ユーザ（ここでは、居住者などの任意の者）が切替部５１および操作部５２を操作することで、各種の設定内容について、初期設定、変更あるいは削除を行う。当該設定内容は、例えば、記憶部５６に記憶される。このような情報の設定は、任意のタイミングで行われてもよい。
【００８３】
＜人物別テーブル＞
図７は、本発明の一実施形態に係る人物別テーブル１０４１の一例を示す図である。
香り放出装置１２−７の記憶部５６には、人物別テーブル１０４１が記憶される。
人物別テーブル１０４１は、複数の異なる人物のそれぞれごとに、それぞれの人物の嗜好に合った情報を格納する。
具体的には、人物別テーブル１０４１は、人物の識別情報と、それぞれの人物の嗜好に合った香りランクテーブル１０２１と、それぞれの人物の嗜好に合った香り選択テーブル１０３１と、それぞれの人物の嗜好に合った放出開始時刻と、それぞれの人物の嗜好に合った放出停止時刻と、それぞれの人物の嗜好に合った放出モードと、それぞれの人物の嗜好に合った他の任意の情報（図示せず）とが対応付けられて格納されている。
【００８４】
図７の例では、人物の識別情報が「Ｂ１」という人物について、香りランクテーブル１０２１として「Ｄ１」という情報が設定されており、香り選択テーブル１０３１として「Ｅ１」という情報が設定されており、放出開始時刻として「Ｆ１」という情報が設定されており、放出停止時刻として「Ｇ１」という情報が設定されており、放出モードとして「Ｈ１」という情報（放出モードＨ１）が設定されている。
また、他の人物の識別情報についても、同様である。
【００８５】
香り放出装置１２−７では、香り放出部５５は、記憶部５６に記憶された人物別テーブル１０４１の内容に基づいて、ストレス検出装置１１から通知された人物および当該人物のストレス状態に対応した香り放出の動作を行う。
具体例として、ストレス検出装置１１から香り放出装置１２−７に「父親のストレス状態がストレスあり」であるという情報が通知された場合、香り放出装置１２−７では、「父親のストレス状態がストレスあり」である場合に対応した香り放出の動作を行う。
【００８６】
［情報の記憶および情報の表示］
ここでは、説明の便宜上から、香り放出装置１２−１について図１および図２に示される構成部と同じ符号（図における符号）を用いて、すべての香り放出装置１２−１〜１２−Ｎについて説明する。
【００８７】
＜情報の記憶＞
任意の情報が、ストレス検出装置１１の記憶部３４に記憶されてもよい。
また、任意の情報が、香り放出装置１２−１〜１２−Ｎの記憶部５６に記憶されてもよい。
このように記憶される情報は、例えば、認証部３１による認証結果の情報、ストレス検出部による検出結果の情報、選択された香りを特定する情報など、様々な情報であってもよい。
【００８８】
香り放出装置１２−１〜１２−Ｎでは、例えば、放出開始時刻よりも前における情報（香り放出の動作を行うために使用する情報）を、少なくとも不要となるまで、記憶部５６に記憶する。香り放出装置１２−１〜１２−Ｎでは、すでに香り放出の動作のために使用された情報（香り放出の動作のためには使用されなくなった情報）あるいは他の理由により不要となった情報については、例えば、削除（消去）してもよく、あるいは、履歴の情報として保持してもよい。
一例として、香り放出装置１２−１〜１２−Ｎでは、それぞれの日における認証結果の情報およびストレス検出結果の情報を不要になったタイミングで削除することで、それぞれの日ごとにおける情報に応じた香り放出の動作を可能とすることができる。
他の例として、香り放出装置１２−１〜１２−Ｎでは、それぞれの日における認証結果の情報およびストレス検出結果の情報を不要になったタイミングで履歴として保存することで、それぞれの日ごとにおける情報に応じた香り放出の動作を可能とすることができる。
【００８９】
＜情報の表示＞
任意の情報が、香り放出装置１２−１〜１２−Ｎの表示部５３により表示されてもよい。
このように表示される情報は、例えば、認証部３１による認証結果の情報、ストレス検出部による検出結果の情報、選択された香りを特定する情報など、様々な情報であってもよい。
また、香り放出装置１２−１〜１２−Ｎにおいて記憶部５６に履歴の情報が保存される場合には、当該履歴の情報が表示部５３により表示されてもよい。
例えば、ユーザは、表示部５３により表示される過去のストレス状態と放出された香りの情報などを参考（例えば、基準）にして、香りの選定（変更）、あるいは、香りのランク付けなどの判断を行うことが可能である。これにより、例えば、過去に香り放出装置１２−１〜１２−Ｎから放出された香りが対象者（当該香りに対応付けられた人物）の好みと合わなかった場合などに、ユーザ（ここでは、当該人物あるいは代理の者）により香りの変更などの設定を行うことができる。
【００９０】
［香り放出システムにおいて行われる処理の例］
＜ストレス検出装置において行われる処理の例＞
図８は、本発明の一実施形態に係る香り放出システム１のストレス検出装置１１において行われる処理の手順の一例を示すフローチャートである。
【００９１】
（ステップＳ１）
認証部３１およびストレス検出部３２は、カメラ（本実施形態では、共通のカメラ）により人物の画像を撮影する。そして、ストレス検出装置１１では、ステップＳ２の処理へ移行する。
（ステップＳ２）
認証部３１は、撮影された人物の画像に基づいて、当該人物を認証する。そして、ストレス検出装置１１では、ステップＳ３の処理へ移行する。
（ステップＳ３）
ストレス検出部３２は、撮影された人物の画像に基づいて、当該人物のストレス状態を検出する。そして、ストレス検出装置１１では、ステップＳ４の処理へ移行する。
（ステップＳ４）
制御部３５（または、認証部３１およびストレス検出部３２でもよい。）は、認証部３１による認証の結果の情報、およびストレス検出部３２による検出の結果の情報を、ストレス検出結果の情報として、香り放出装置１２−１〜１２−Ｎに送信する。そして、ストレス検出装置１１では、本フローの処理を終了する。
【００９２】
＜香り放出装置において行われる処理の例＞
香り放出装置１２−１を例として説明する。
図９は、本発明の一実施形態に係る香り放出システム１の香り放出装置１２−１において行われる処理の手順の一例を示すフローチャートである。
図９の例では、自動放出モードのオン／オフ（オンまたはオフ）の状態に応じた香り放出の処理について説明する。
【００９３】
（ステップＳ１１）
香り放出部５５は、自動放出モードがオンの状態であるかあるいはオフの状態であるかを判定する。
この結果、香り放出部５５は、自動放出モードがオンの状態であると判定した場合には（ステップＳ１１：ＹＥＳ）、ステップＳ１２の処理へ移行する。
一方、この結果、香り放出部５５は、自動放出モードがオフの状態であると判定した場合には（ステップＳ１１：ＮＯ）、ステップＳ１５の処理へ移行する。
【００９４】
（ステップＳ１２）
香り放出部５５は、自動放出モードがオンの状態であるときには、ストレス検出装置１１からストレス検出結果の情報が通知された場合に、当該情報を取得し、ステップＳ１３の処理へ移行する。
【００９５】
（ステップＳ１３）
香り放出部５５は、取得されたストレス検出結果の情報と、記憶部５６に記憶された情報に基づいて、香り放出の動作を行うための条件が満たされたか否かを判定する。
この結果、香り放出部５５は、香り放出の動作を行うための条件が満たされたと判定した場合には（ステップＳ１３：ＹＥＳ）、ステップＳ１４の処理へ移行する。
一方、この結果、香り放出部５５は、香り放出の動作を行うための条件が満たされていないと判定した場合には（ステップＳ１３：ＮＯ）、本フローの処理を終了する。
【００９６】
（ステップＳ１４）
香り放出部５５は、香り放出の動作を行うための条件が満たされた場合、香り放出の動作を行い、本フローの処理を終了する。
【００９７】
（ステップＳ１５）
香り放出部５５は、自動放出モードがオフの状態であるときには、記憶部５６に記憶された非自動設定情報を取得し、ステップＳ１６の処理へ移行する。
ここで、非自動設定情報は、自動放出モードがオフの状態であるときにおける香り放出の動作を設定する情報であるとする。
【００９８】
（ステップＳ１６）
香り放出部５５は、取得された非自動設定情報に基づいて香り放出の動作を行い、本フローの処理を終了する。
【００９９】
図１０は、本発明の一実施形態に係る香り放出システム１の香り放出装置１２−６において行われる処理の手順の一例を示すフローチャートである。
図１０の例では、設定情報の変更などの処理について説明する。
【０１００】
（ステップＳ２１）
制御部５７は、切替部５１がユーザにより操作されることで自動放出モードのオン／オフの状態が切り替えられたか否かを判定する。
この結果、制御部５７は、自動放出モードのオン／オフの状態が切り替えられたと判定した場合には（ステップＳ２１：ＹＥＳ）、ステップＳ２２の処理へ移行する。
一方、この結果、制御部５７は、自動放出モードのオン／オフの状態が切り替えられていないと判定した場合には（ステップＳ２１：ＮＯ）、ステップＳ２３の処理へ移行する。
【０１０１】
（ステップＳ２２）
制御部５７は、自動放出モードのオン／オフの状態を切り替え、ステップＳ２３の処理へ移行する。
【０１０２】
（ステップＳ２３）
制御部５７は、操作部５２がユーザにより操作されることで、記憶部５６に記憶される各種の設定内容を書き換える要求があったか否かを判定する。
この結果、制御部５７は、記憶部５６に記憶される設定内容を書き換える要求があったと判定した場合には（ステップＳ２３：ＹＥＳ）、ステップＳ２４の処理へ移行する。
一方、この結果、制御部５７は、記憶部５６に記憶される設定内容を書き換える要求がなかったと判定した場合には（ステップＳ２３：ＮＯ）、本フローの処理を終了する。
ここで、設定内容を書き換える処理は、例えば、初期設定、変更、削除などのうちの１以上を含む。
【０１０３】
（ステップＳ２４）
制御部５７は、ユーザによる操作の内容にしたがって、記憶部５６に記憶される各種の設定内容を書き換え、本フローの処理を終了する。
【０１０４】
図１１は、本発明の一実施形態に係る香り放出システム１において行われる処理の概略を示す図である。
ここで、図１１の例は一例であり、香り放出システム１では様々な処理が行われてもよい。
【０１０５】
ストレス検出装置１１では、カメラにより人物の画像を撮影する（処理Ｔ１）。
次に、ストレス検出装置１１では、撮影された画像に基づいて、認証部３１により人物を認証し、ストレス検出部３２によりストレス値を検出する（処理Ｔ２）。
次に、ストレス検出装置１１では、検出されたストレス値に基づいて、ストレスの状態として、ストレス無しの状態の判定（処理Ｔ３）、ストレスありの状態の判定（処理Ｔ４）、あるいは、ストレス強めの状態の判定（処理Ｔ５）を行う。
そして、ストレス検出装置１１では、ストレス検出結果の情報を香り放出装置１２−１〜１２−Ｎに送信する。
【０１０６】
香り放出装置１２−１では、ストレス検出装置１１から、ストレス検出結果の情報として、当該香り放出装置１２−１により対応可能な人物についてストレス無しの状態であることが通知された場合、当該ストレス検出結果の情報を記憶部５６に記憶する（処理Ｔ１１）。そして、香り放出装置１２−１では、所定の情報を表示部５３の画面に表示する（処理Ｔ１２）。
【０１０７】
また、香り放出装置１２−１では、ストレス検出装置１１から、ストレス検出結果の情報として、当該香り放出装置１２−１により対応可能な人物についてストレスありの状態であることあるいはストレス強めの状態であることが通知された場合、当該ストレス検出結果の情報を記憶部５６に記憶し、当該ストレス検出結果の情報に基づいて、放出する香りを選択する（処理Ｔ２１）。そして、香り放出装置１２−１では、所定の情報を表示部５３の画面に表示する（処理Ｔ２２）。
【０１０８】
また、香り放出装置１２−１では、自動放出モードがオンの状態であると判定した場合には（処理Ｔ３１）、ストレス検出結果の情報に基づいて選択された香りを放出する動作を行う（処理Ｔ３２）。
一方、香り放出装置１２−１では、自動放出モードがオフの状態であると判定した場合には（処理Ｔ４１）、（香りを放出する条件が満たされたときには）非自動設定情報に基づいて香りを選択し（処理Ｔ４２）、選択された香りを放出する動作を行う（処理Ｔ４３）。
【０１０９】
ここで、本実施形態では、一人の人物に専用に設定された香り放出装置１２−１〜１２−６は、自動放出モードがオンである状態において、当該一人の人物のストレス状態に応じて、香り放出の動作を行う。この場合、ストレス状態が検出される人物ごとに対応した場所（例えば、個室、または、同じ部屋の中における異なる場所）に設置された香り放出装置１２−１〜１２−６により、当該人物に対応した香り放出の動作を行うことができる。
【０１１０】
また、本実施形態では、複数の人物に共用に設定された香り放出装置１２−７〜１２−９は、自動放出モードがオンである状態において、当該複数の人物のうちストレス状態が通知された人物の当該ストレス状態に応じて、香り放出の動作を行う。この場合、複数の人物に共用される香り放出装置１２−７〜１２−９により、これら複数の人物の中でストレス状態が検出された人物に対応した香り放出の動作を行うことができる。
【０１１１】
このような複数の人物に共用に設定された香り放出装置１２−７〜１２−９では、一人の人物について「ストレスあり」の状態あるいは「ストレス強め」の状態が検出された場合には、当該人物に合った香り放出の動作を行う。
また、このような複数の人物に共用に設定された香り放出装置１２−７〜１２−９では、二人以上の異なる人物について「ストレスあり」の状態あるいは「ストレス強め」の状態が検出された場合には、例えば、所定の期間において最も早く検出された人物に合った香り放出の動作を行ってもよく、あるいは、所定の期間において最も大きいストレス状態が検出された人物に合った香り放出の動作を行ってもよく、あるいは、これら二人以上の異なる人物について、所定の時間（例えば、１５分など）ごとに、人物を切り替えてそれぞれの人物に合った香り放出の動作を行ってもよい。当該所定の期間としては、任意の期間であってもよく、例えば、複数の人物について放出開始時刻と放出停止時刻が共通である場合に、前回の放出停止時刻から次回の放出開始時刻までの期間が用いられてもよい。
また、このような複数の人物に共用に設定された香り放出装置１２−７〜１２−９では、それぞれの人物について「ストレスあり」の状態あるいは「ストレス強め」の状態が検出された場合にすぐに香り放出の動作を開始する設定がなされているときには、例えば、異なる人物について「ストレスあり」の状態あるいは「ストレス強め」の状態が検出されるごとに、香り放出の動作を当該人物（最新に検出された人物）に合わせるように変更してもよい。
【０１１２】
なお、香り放出装置１２−１〜１２−Ｎでは、同一の人物について、前回の放出停止時刻以降で次回の放出開始時刻までの間に、ストレス状態が複数回検出された場合には、一例として、ストレス状態が検出されるごとに、香り放出の動作に使用するストレス状態の情報を更新し、これにより、放出開始時刻以前で最新のストレス状態の情報を使用して香り放出の動作を行う。他の例として、香り放出装置１２−１〜１２−Ｎでは、同一の人物について、前回の放出停止時刻以降で次回の放出開始時刻までの間に、ストレス状態が複数回検出された場合には、香り放出の動作を行うために、初回のストレス状態の情報を採用してもよく、あるいは、最もストレスが大きいストレス状態の情報を採用してもよく、あるいは、複数回のストレス状態の情報の平均を採用してもよい。具体例として、複数回のストレス状態の情報の平均としては、複数回のＬＦ／ＨＦの値の平均値が用いられてもよい。
これらの場合、認証部３１は認証の処理を継続的に実行し、ストレス検出部３２はストレス情報の検出の処理を継続的に実行する。
【０１１３】
また、香り放出装置１２−１〜１２−Ｎでは、同一の人物について、香り放出の動作を開始してから停止するまでの間に、当該香り放出の動作に使用されたストレス状態とは異なるストレス状態が検出された場合には、一例として、異なるストレス状態が検出されるごとに、香り放出の動作に使用するストレス状態の情報を更新し、これにより、放出開始時刻以降で最新のストレス状態の情報を使用して香り放出の動作を行う。この場合、認証部３１は認証の処理を継続的に実行し、ストレス検出部３２はストレス情報の検出の処理を継続的に実行する。他の例として、香り放出装置１２−１〜１２−Ｎでは、同一の人物について、香り放出の動作を開始してから停止するまでの間に、当該香り放出の動作に使用されたストレス状態とは異なるストレス状態が検出された場合においても、そのときに行われている香り放出の動作をそのまま継続して行ってもよい。
【０１１４】
また、香り放出装置１２−１〜１２−Ｎでは、ある人物について、前回の放出停止時刻以降で次回の放出開始時刻までの間には当該人物が認証されなかったが、当該放出開始時刻以降で次回の放出停止時刻までの間に当該人物が認証されて「ストレスあり」の状態あるいは「ストレス強め」の状態であった場合には、一例として、放出開始時刻と放出停止時刻との間の途中であるが、香り放出の動作を開始してもよい。他の例として、香り放出装置１２−１〜１２−Ｎでは、ある人物について、前回の放出停止時刻以降で次回の放出開始時刻までの間には当該人物が認証されなかったが、当該放出開始時刻以降で次回の放出停止時刻までの間に当該人物が認証された場合には、「ストレスあり」の状態あるいは「ストレス強め」の状態であっても、香り放出の動作を行わなくてもよい。
【０１１５】
ここで、本実施形態に係る香り放出システム１では、一例として、複数の香り放出装置１２−１〜１２−Ｎを備えたが、他の例として、１個の香り放出装置（のみ）を備えてもよい。
【０１１６】
また、本実施形態では、一例として、複数の香り放出装置１２−１〜１２−Ｎのそれぞれごとに操作部５２を備えたが、他の例として、複数の香り放出装置１２−１〜１２−Ｎの操作部５２の機能をまとめて有する操作部が建物１０１の任意の場所（例えば、リビング１１６などの共用部）に備えられてもよい。この場合、このような共用の操作部が建物１０１のすべての居住者により使用される。また、それぞれの香り放出装置１２−１〜１２−Ｎごとの操作部５２と、共用の操作部との両方が備えられてもよい。
【０１１７】
また、本実施形態では、一例として、複数の香り放出装置１２−１〜１２−Ｎのそれぞれごとに表示部５３を備えたが、他の例として、複数の香り放出装置１２−１〜１２−Ｎの表示部５３の機能をまとめて有する表示部が建物１０１の任意の場所（例えば、リビング１１６などの共用部）に備えられてもよい。この場合、このような共用の表示部が建物１０１のすべての居住者により使用される。また、それぞれの香り放出装置１２−１〜１２−Ｎごとの表示部５３と、共用の表示部との両方が備えられてもよい。
【０１１８】
［第１実施形態について］
以上のように、本実施形態に係る香り放出システム１では、建物１０１の居住者などに合わせた設定がなされ、設定された人物の個々人の嗜好およびストレスに合わせた香り放出を行うことができる。これにより、本実施形態に係る香り放出システム１では、ストレスを抱えた人物のストレス軽減に役立つことができる。また、それぞれの人物は、自分の嗜好に合った香りを楽しむことも可能である。
このように、本実施形態に係る香り放出システム１では、香りを放出する対象となる人物に適した香りを好みの場所で放出することを可能とすることができる。
【０１１９】
本実施形態に係る香り放出システム１では、人物を認証するための情報（本実施形態では、顔の情報）が登録された複数の人物に対して、リアルタイムでストレスの検出を行うことで、それぞれの人物に合った香り放出の動作と連動させる、ことが可能である。
また、本実施形態に係る香り放出システム１では、登録される人物の数が増加する場合においても、例えば、当該人物に関する情報の登録を行うことで対応することが可能であり、すでに登録された者だけに限定されない拡張的な使用方法を実現することができる。また、イニシャルコストの低減にも役立つ。
一方、本実施形態に係る香り放出システム１では、認証部３１により認証する対象として居住者のみの情報が設定された場合、例えば、宅配業者などのように居住者以外の人物については、認証あるいはストレスの検出がなされないようにすることができる。
【０１２０】
本実施形態に係る香り放出システム１では、ストレス検出装置１１と香り放出装置１２−１〜１２−Ｎとが分離した場所に設置されることが可能である。このため、本実施形態に係る香り放出システム１では、それぞれの人物の嗜好に合った場所に香り放出装置１２−１〜１２−Ｎが設置されることが可能である。
【０１２１】
本実施形態に係る香り放出システム１では、登録された複数の人物が日常的に通過すると推測される場所（本実施形態では、玄関１１１）に、ストレス検出装置１１のカメラが設置されている。これにより、本実施形態に係る香り放出システム１では、登録された複数の人物に共通のカメラにより、これら複数の人物のそれぞれに関する情報を検出することができる。
一例として、本実施形態では、当該カメラが玄関１１１に設置されており、登録された人物の帰宅と同時に、当該人物を認証し、当該人物のストレスの検出を行うことを、確実に実行することができる。本実施形態では、対象者（登録された人物）が能動的に操作を行わなくても、自動的に認証およびストレスの検出が行われるため、当該対象者にとって操作の煩わしさを軽減することが可能である。
このように、本実施形態に係る香り放出システム１では、登録された人物が意識せずに受動的にストレスの検出が行われることから、ストレスの検出を効率的に行うことができる。
【０１２２】
本実施形態に係る香り放出システム１では、人物の心拍変動を用いてストレスの検出が行われるため、ストレス状態を正確に把握することが可能である。
一例として、本実施形態では、カメラにより人物の皮膚を撮影することでストレスの検出が行われることから、人物の皮膚の撮影が可能であれば、対象者（当該人物）の体勢は任意であってもよい。
【０１２３】
本実施形態に係る香り放出システム１では、登録された複数の人物のそれぞれについて、放出開始時刻と放出停止時刻を指定することが可能である。これにより、本実施形態に係る香り放出システム１では、それぞれの人物について、生活のペースに合わせた香りの環境を整えることが可能である。
【０１２４】
［構成例］
一構成例として、建物（本実施形態では、建物１０１）に設置される香り放出システム（本実施形態では、香り放出システム１）であって、建物に関する人物（本実施形態では、居住者である４人の人物）を認証する認証部（本実施形態では、認証部３１）と、人物のストレスに関する情報を検出するストレス検出部（本実施形態では、ストレス検出部３２）と、認証部により認証された人物とストレス検出部により検出された情報に応じた香り放出の動作を行う香り放出部（本実施形態では、香り放出部５５）と、を備える。
【０１２５】
一構成例として、香り放出システムにおいて、ストレス検出部は、人物のストレスに関する情報として、人物の心拍変動に基づいてＬＦ／ＨＦの値を検出する。
一構成例として、香り放出システムにおいて、認証部およびストレス検出部は、建物の共用部に設置される。
一構成例として、香り放出システムにおいて、香り放出部は、香り放出の動作について、同一の人物について複数の異なる放出モードを切り替えることが可能である。
一構成例として、香り放出システムにおいて、香り放出部は、異なる人物について異なる香りを放出することが可能である。
一構成例として、香り放出システムにおいて、香り放出部は、人物のストレスに関する情報を含み、かつ、温度と時期とのうちの一方または両方を含む条件（例えば、温度と時期との両方を含む条件の一例としては図６に示される香り選択テーブル１０３１の条件であり、他の例として、温度と時期とのうちの任意の一方のみを含む条件であってもよい。）に応じた香りを放出する。
一構成例として、香り放出システムにおいて、香り放出部は、設定された放出開始時刻より前にストレス検出部により検出された人物のストレスに関する情報に応じて、放出開始時刻になったとき以降に、香りを放出する。
一構成例として、香り放出システムにおいて、香り放出部は、特定の一人の人物に専用され、特定の一人の人物に応じた香り放出の動作を行う（本実施形態では、香り放出装置１２−１〜１２−６の例）。
一構成例として、香り放出システムにおいて、香り放出部は、複数の人物に共用され、複数の人物のそれぞれに応じた香り放出の動作を行う（本実施形態では、香り放出装置１２−７〜１２−９の例）。
【０１２６】
また、上記のような香り放出システムにおいて行われる処理の方法を実施することも可能である。
一構成例として、建物に設置される香り放出システムが香りを放出する香り放出方法であって、認証部が、建物に関する人物を認証し、ストレス検出部が、人物のストレスに関する情報を検出し、香り放出部が、認証部により認証された人物とストレス検出部により検出された情報に応じた香り放出の動作を行う。
【０１２７】
（第２実施形態）
［香り放出システムの概要］
図１２は、本発明の一実施形態（第２実施形態）に係る香り放出システム５０１の概略的な構成例を示す図である。
本実施形態に係る香り放出システム５０１は、Ｍ（Ｍは２以上の整数）個の香り放出システム部５３１−１〜５３１−Ｍと、１個のサーバ装置５３２と、回線５３３を備える。
それぞれの香り放出システム部５３１−１〜５３１−Ｍは、それぞれ異なる建物５１１−１〜５１１−Ｍに設置されている。
ここで、回線５３３は、任意の回線であってもよく、例えば、有線の回線であってもよく、あるいは、無線の回線であってもよい。一例として、回線５３３は、インターネットであってもよい。
【０１２８】
［香り放出システム部の概要］
Ｍ個の香り放出システム部５３１−１〜５３１−Ｍは、それぞれ、図１に示される香り放出システム１と同様な構成部を備えており、さらに、回線５３３を介して通信を行う通信部５５１−１〜５５１−Ｍを備える。
本実施形態では、それぞれの香り放出システム部５３１−１〜５３１−Ｍでは、図１に示される香り放出システム１と同様に、それぞれの建物５１１−１〜５１１−Ｍの居住者などに対応した情報が設定されており、それぞれの人物およびストレス状態に応じて香りを放出する。
また、本実施形態では、それぞれの建物５１１−１〜５１１−Ｍに、それぞれの建物５１１−１〜５１１−Ｍを識別する情報（説明の便宜上、「建物識別情報」という。）が設定されている。
【０１２９】
［サーバ装置の概要］
サーバ装置５３２は、例えば、コンピュータを用いて構成されている。
サーバ装置５３２は、通信部５７１と、記憶部５７２と、制御部５７３を備える。
通信部５７１は、回線５３３を介して、それぞれの香り放出システム部５３１−１〜５３１−Ｍとの間で、通信を行う。
記憶部５７２は、各種の情報を記憶する。
制御部５７３は、サーバ装置５３２における各種の制御あるいは処理を実行する。制御部５７３は、例えば、ＣＰＵなどを用いて構成され、記憶部５７２に記憶されたプログラムを読み出して実行することで、各種の制御あるいは処理を実行する。
【０１３０】
ここで、本実施形態では、記憶部５７２は、それぞれの建物５１１−１〜５１１−Ｍに設定された建物識別情報を記憶する。そして、制御部５７３は、複数の香り放出システム部５３１−１〜５３１−Ｍを制御する場合に、それぞれの香り放出システム部５３１−１〜５３１−Ｍに対応した建物５１１−１〜５１１−Ｍに設定された建物識別情報を用いる。これにより、制御部５７３は、それぞれの香り放出システム部５３１−１〜５３１−Ｍ（それぞれの建物５１１−１〜５１１−Ｍ）を識別しながら制御を行うことができる。
なお、本実施形態では、制御部５７３は、一例として、それぞれの建物５１１−１〜５１１−Ｍに設定された建物識別情報に基づいて、それぞれの香り放出システム部５３１−１〜５３１−Ｍ（それぞれの建物５１１−１〜５１１−Ｍ）を識別するが、他の例として、それぞれの香り放出システム部５３１−１〜５３１−Ｍに、それぞれの香り放出システム部５３１−１〜５３１−Ｍを識別する情報が設定されて、当該情報に基づいて、それぞれの香り放出システム部５３１−１〜５３１−Ｍ（それぞれの建物５１１−１〜５１１−Ｍ）を識別してもよい。
【０１３１】
［サーバ装置により複数の香り放出システム部を制御する構成の例］
サーバ装置５３２では、制御部５７３は、複数の香り放出システム部５３１−１〜５３１−Ｍを制御する。
一例として、サーバ装置５３２では、それぞれの香り放出システム部５３１−１〜５３１−Ｍの代わりに、情報の記憶および演算を行うことが可能である。
【０１３２】
具体例として、それぞれの香り放出システム部５３１−１〜５３１−Ｍでは、通信部５５１−１〜５５１−Ｍは、カメラにより撮影された画像の情報を、回線５３３を介して、サーバ装置５３２に送信する。サーバ装置５３２では、通信部５７１は、それぞれの香り放出システム部５３１−１〜５３１−Ｍから送信されてきた情報を受信する。そして、サーバ装置５３２では、制御部５７３は、受信された情報に基づいて、人物の認証、ストレス状態の検出、香りの選択（決定）、香り放出の動作の態様の決定などの処理を行う。サーバ装置５３２では、制御部５７３は、当該処理の結果を、通信部５７１により回線５３３を介して、該当する香り放出システム部５３１−１〜５３１−Ｍに送信することで、当該香り放出システム部５３１−１〜５３１−Ｍにおいて、選択された香りが放出されるように制御する。
【０１３３】
この場合、サーバ装置５３２では、それぞれの香り放出システム部５３１−１〜５３１−Ｍの代わりに行う処理に必要な情報を記憶部５７２に記憶する。
また、この場合、それぞれの香り放出システム部５３１−１〜５３１−Ｍでは、例えば、自己の代わりにサーバ装置５３２により行われる処理の機能を備えなくてもよい。
例えば、それぞれの香り放出システム部５３１−１〜５３１−Ｍでは、カメラによる画像の撮影、撮影された画像の情報の送信、香り放出の動作を行うための指示情報の受信、受信された指示情報にしたがった香り放出の動作を行う。サーバ装置５３２では、画像の情報の受信、受信された情報に基づく香り放出の動作に関する指示情報の決定、決定された指示情報の送信を行う。
【０１３４】
ここで、それぞれの香り放出システム部５３１−１〜５３１−Ｍを使用するそれぞれの建物５１１−１〜５１１−Ｍの居住者などの個人情報の漏洩を抑制（理想的には、防止）する場合には、例えば、サーバ装置５３２において、制御部５７３が記憶部５７２に記憶された情報を使用して各巣の演算を行うに際して、使用されなくなった情報を早めに記憶部５７２から削除（消去）する構成とすることが好ましい一例である。
【０１３５】
［サーバ装置により複数の香り放出システム部に関する情報を記憶する構成の例］
サーバ装置５３２が、複数の香り放出システム部５３１−１〜５３１−Ｍのそれぞれから送信されてくる情報を記憶部５７２に記憶して一括で管理する構成とすることも可能である。
例えば、それぞれの香り放出システム部５３１−１〜５３１−Ｍでは、通信部５５１−１〜５５１−Ｍは、所定の情報を、回線５３３を介して、サーバ装置５３２に送信する。当該所定の情報としては、任意の情報であってもよく、例えば、それぞれの香り放出システム部５３１−１〜５３１−Ｍにおける各種の設定情報、カメラにより撮影された画像の情報、人物の認証結果の情報、ストレスの検出結果の情報、香りの選択結果の情報、あるいは、放出した香りの情報などのうちの１以上を含んでもよい。
この場合、それぞれの香り放出システム部５３１−１〜５３１−Ｍが１個のサーバ装置５３２に所定の情報を送信し、当該サーバ装置５３２が当該情報を受信して記憶部５７２に記憶する。これにより、サーバ装置５３２は、複数の香り放出システム部５３１−１〜５３１−Ｍに関する情報を一括して記憶して管理することができる。
【０１３６】
［第２実施形態について］
以上のように、本実施形態に係る香り放出システム５０１では、サーバ装置５３２により、複数の建物５１１−１〜５１１−Ｍのそれぞれに設置された香り放出システム部５３１−１〜５３１−Ｍについて、制御、あるいは、情報の管理などが可能である。
また、それぞれの香り放出システム部５３１−１〜５３１−Ｍでは、例えば、第１実施形態に係る香り放出システム１と同様な動作を行うことが可能である。
【０１３７】
［以上の実施形態について］
なお、以上に示した実施形態に係る各装置等（例えば、ストレス検出装置１１あるいは香り放出装置１２−１〜１２−Ｎなど）の機能を実現するためのプログラムをコンピュータ読み取り可能な記録媒体（記憶媒体）に記録して、この記録媒体に記録されたプログラムをコンピュータシステムに読み込ませ、実行することにより、処理を行ってもよい。
なお、ここでいう「コンピュータシステム」とは、オペレーティング・システム（ＯＳ：Ｏｐｅｒａｔｉｎｇ  Ｓｙｓｔｅｍ）あるいは周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｃ）等の可搬媒体、コンピュータシステムに内蔵されるハードディスク等の記憶装置のことをいう。また、記録媒体としては、例えば、一時的にデータを記録する記録媒体であってもよい。
【０１３８】
さらに、「コンピュータ読み取り可能な記録媒体」とは、インターネット等のネットワークあるいは電話回線等の通信回線を介してプログラムが送信された場合のサーバあるいはクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【０１３９】
以上、本発明の実施形態について図面を参照して詳述したが、具体的な構成はこの実施形態に限られるものではなく、本発明の要旨を逸脱しない範囲の設計変更等も含まれる。
【符号の説明】
【０１４０】
１、５０１…香り放出システム、１１…ストレス検出装置、１２−１〜１２−Ｎ…香り放出装置、１３−１〜１３−Ｎ…回線、３１…認証部、３２…ストレス検出部、３３、５４、５５１−１〜５５１−Ｍ、５７１…通信部、３４、５７２…記憶部、３５、５７、５７３…制御部、５１…切替部、５２…操作部、５３…表示部、５５…香り放出部、５６…記憶部、１０１、５１１−１〜５１１−Ｍ…建物、１１１…玄関、１１２〜１１５…個室、１１６…リビング、１１７…洗面室、１１８…浴室、１１９…化粧室、１３１…扉、２１１−１〜２１１−１０…香料収容部、２１２…香料選択部、２１３…調合部、２１４…放出部、５３１−１〜５３１−Ｍ…香り放出システム部、５３２…サーバ装置、５３３…回線、１０１１…ストレス状態決定テーブル、１０２１…香りランクテーブル、１０３１…香り選択テーブル、１０４１…人物別テーブル
【図１】
2019100605.tif 000003
【図２】
2019100605.tif 000004
【図３】
2019100605.tif 000005
【図４】
2019100605.tif 000006
【図５】
2019100605.tif 000007
【図６】
2019100605.tif 000008
【図７】
2019100605.tif 000009
【図８】
2019100605.tif 000010
【図９】
2019100605.tif 000011
【図１０】
2019100605.tif 000012
【図１１】
2019100605.tif 000013
【図１２】
2019100605.tif 000014